(57)【特許請求の範囲】
【請求項１】
電気機器を稼働させるために供給する電力の管理方法であって、
前記電気機器の稼働のために供給可能な供給電力量と共に前記電気機器を稼働させている現実の消費電力量を把握し、前記電気機器の稼働優先度を受け取って、相対的に該稼働優先度の高い前記電気機器付近には前記供給電力量の前記消費電力量に対する十分な余裕情報を報知する一方、相対的に当該稼働優先度の低い前記電気機器付近には前記供給電力量の前記消費電力量に対する少ない余裕情報あるいは供給能力越え情報を報知する電力管理方法。
【発明の詳細な説明】
【技術分野】
【０００１】
本発明は、電力管理方法に関し、詳しくは、電力消費レベルを消費場所で把握可能にするものに関する。
【背景技術】
【０００２】
近年には、原油価格高騰や地球温暖化対策の一環として、電力を消費するユーザが電力消費レベルを把握するために、電力量計の計測する消費電力量をモニタなどに表示することが行われており（例えば、特許文献１）、この特許文献１では、設置するために、専門知識や電気工事士等の資格を必要としない電力量測定システムが提案されている。
【０００３】
この種の電力消費レベルの表示としては、電力会社の発電所による商用電源からの供給電力の消費レベルだけでなく、近年普及してきている太陽光発電や燃料電池などのように個別に設置する分散型電源においても行われており（例えば、特許文献２）、発電量と共に設置する電気機器による電力消費レベルを比較して、商用電力を必要とするか否かを把握することができるようになっている。
【先行技術文献】
【特許文献】
【０００４】
【特許文献１】特開２０１０−    ８１０８号公報
【特許文献２】特開２００９−１９５１０５号公報
【発明の概要】
【発明が解決しようとする課題】
【０００５】
しかしながら、このような電力消費の表示にあっては、太陽光発電を管理して、余剰分を電力会社に売電したり、足りない分を補うために電力会社から商用電力を買電するなどの調整を行うコントローラやパーソナルコンピュータ（ＰＣ）のモニタが設置されている、例えば、リビングなどで確認できるだけである。そのため、電気機器を使用する場所で電力消費の状況を確認することができない場合が多く、結局、太陽光発電に対する電力消費レベルを把握することなく、その電気機器を接続して稼働させてしまうことになる。そうすると、他の余裕のある時間帯に稼働させてもよかったのにも拘わらず、他の電気機器の稼働と重なって、商用電力を買電することになってしまう場合がある。
【０００６】
また、このモニタでは、太陽光による発電量と、現在稼働する電気機器全体の電力消費量との比較結果を確認することができるだけで、どの程度の余裕があるのか、あるいは、余裕がないのかを把握することはできない。
【０００７】
さらに、家庭用の太陽光発電システムでは出力変動が大きい場合もあり、そのシステムが売電のために同時に複数箇所連結されると、商用電力の配電系統における電圧上昇や周波数変動を引き起こす要因となる。そのために、家庭用の太陽光発電システムには、このような要因の発生を回避するために、パワーコンディショナーが付属されており、売電の際に配電系統における電圧上昇を検知すると、自動的に抑制運転をする機能が付属されている。よって、よく晴れていても効率よく発電消費することができない場合がある。
【０００８】
このことから、太陽光発電などの分散型電源由来の電力は、配電系統に逆潮流させて売電するよりも、発電場所である各家庭などで消費することが効率よく有効利用することができ、その電力の有効な消費を促すシステムを実現することにより、無駄な商業発電を抑えてエコロジーな生活環境に寄与することができる。
【０００９】
そこで、本発明は、供給可能な電力量を電力消費する電気機器の稼働場所で把握できるようにして、供給電力量を有効利用することの可能な電力管理を実現する電力管理方法を提供することを目的としている。
【課題を解決するための手段】
【００２２】
上記課題を解決する電力管理方法の発明の第１の態様は、電気機器を稼働させるために供給する電力の管理方法であって、前記電気機器の稼働のために供給可能な供給電力量と共に前記電気機器を稼働させている現実の消費電力量を把握し、前記電気機器の稼働優先度を受け取って、相対的に該稼働優先度の高い前記電気機器付近には前記供給電力量の前記消費電力量に対する十分な余裕情報を報知する一方、相対的に当該稼働優先度の低い前記電気機器付近には前記供給電力量の前記消費電力量に対する少ない余裕情報あるいは供給能力越え情報を報知することを特徴としている。
【００２３】
この態様では、供給可能な電力量と共に現実に消費されている電力量を把握して、接続する電気機器付近毎にその電力量に関する情報を報知することができ、その情報に基づいて供給電力を受け取って稼働する電気機器を接続することができる。
【００２７】
また、この態様では、電気機器の消費電力量と共にその電気機器を稼働させる優先度を受け取って、その優先度に応じた電力量情報として、優先度が高い電気機器に対しては常時稼働可能に十分な余裕情報を報知する一方、優先度が低くて無理して稼働させる必要がない電気機器に対しては余裕が少ない、あるいは、供給能力を超えてしまって稼働停止要請となる情報を報知することができ、供給電力量以下の消費電力量となるように調整することができる。
【発明の効果】
【００２８】
このように本発明の一態様によれば、電気機器の設置場所で供給電力量に関する情報を把握することができ、分からないまま利用する電気機器を接続するのではなく、電力消費の状況を把握しつつ、利用する電気機器を接続することができる。したがって、利用する電気機器の設置場所で供給と消費のバランスを把握した上で、その供給電力を有効利用することができる。
【図面の簡単な説明】
【００２９】
【図１】本発明に係る電力管理方法を実行する電力管理システムの一実施形態を示す図であり、その概略全体構成を示す概念ブロック図である。
【図２】その各構成要素を示す図であり、（ａ）はその上流側の端末装置を示すブロック図、（ｂ）はその下流側の端末装置を示すブロック図、（ｃ）はその管理装置を示すブロック図である。
【図３】その下流側の端末装置のバリエーションを示す図であり、（ａ）はその１個口の延長コードに適用した場合を示す斜視図、（ｂ）はその４個口の延長コードに適用した場合を示す斜視図である。
【図４】その電気機器の接続時における制御の処理手順（管理方法）を説明するシーケンス図である。
【図５】その電気機器の追加接続時における制御の処理手順（管理方法）を説明するシーケンス図である。
【図６】その電気機器の接続状態における更新制御の処理手順（管理方法）を説明するシーケンス図である。
【図７】その電気機器の電源ＯＦＦ時における制御の処理手順（管理方法）を説明するシーケンス図である。
【発明を実施するための形態】
【００３０】
以下、図面を参照して、本発明の実施形態について詳細に説明する。図１〜図７は本発明に係る電力管理方法を実行する電力管理システムの一実施形態を示す図である。
【００３１】
図１および図２において、本実施形態に係る電力管理システムは、電気エネルギにより稼働する電気機器ＥＭ１〜ＥＭｎ（図中にはＥＭ１〜ＥＭ３のみを図示）を利用する各家庭などの施設（場所）に設置されており、その電力の供給側に配置される上流端末装置１０と、その電力の消費側に配置される下流端末装置２０と、これら端末装置１０、２０との間で各種情報をやり取りして電力量の管理制御を実行する管理装置３０と、を備えて構築されている。この電力管理システムは、例えば、その家庭で消費する電気エネルギの一部または全部を自前で賄えるように、個別の電力供給を可能する太陽光発電パネルＳＰのような分散型電源（燃料電池などでもよい）と共に設置するのが好適であり、その太陽光発電パネルＳＰは、効率よく光電変換して発電するように屋根などに設置されている。太陽光発電パネルＳＰで発電した電力は、詳細に説明することは割愛するが、発電システム本体１００において各家庭に設置する電気機器ＥＭ１〜ＥＭｎで消費可能に交流電力に変換して供給するようになっており、余剰分がある場合には電力会社の配電設備に逆潮流させて売電する一方、発電量が足りない場合には電力会社の配電する商用電力を買電して必要な電力を確保するようになっている。
【００３２】
端末装置１０、２０および管理装置３０は、後述する各制御部１１、２１、３１により統括制御されて各種情報をやり取りする無線通信部１２、２２、３２がそれぞれ設けられており、この無線通信部１２、２２、３２は、外部通信機器を経由することなく通信端末同士で直接接続するＷｉ−Ｆｉ（登録商標）仕様のＰ２Ｐ（Peer To Peer、ワイヤレス・アト゛ホック・ネットワーク）モードによりアンテナ１２ａ、２２ａ、３２ａを介して直接無線通信を行う通信機能を備えている。上流端末装置１０は、後述する取得情報を管理装置３０に送信する一方、下流端末装置２０は、後述する取得情報を管理装置３０に送信するとともにその管理装置３０からそれら取得情報に基づく報知情報を受信して表示出力するようになっている。なお、無線通信部１２、２２、３２の通信方式は、Ｗｉ−Ｆｉ（Wireless  Fidelity）による直接無線通信に限るものではなく、外部通信機器を経由してもよく、また、無線に限らずに、有線接続して各種情報をやり取り可能にしてもよいことは言うまでもない。
【００３３】
そして、上流端末装置１０は、無線通信部１２の他に、電流計測部１３が制御部１１に接続されており、電流計測部１３は、発電システム本体１００が太陽光発電パネルＳＰの発電した直流電力を受け取って各家庭で利用可能に交流電力に不図示のインバータにより変換して出力する電路途中に配設されている。この電流計測部１３は、発電システム本体１００が太陽光発電パネルＳＰから受け取って電気機器ＥＭ１〜ＥＭｎの接続されている屋内の配電線Ｗに出力する交流の電流値（消費電力）を計測（把握）するようになっており、供給電力量把握部を構成している。ここで、電流計測部１３は、例えば、発電システム本体１００が家庭内の配電線Ｗに出力する交流電力を後付けのクランプメータなどで計測するようにしてもよく、あるいは、発電システム本体１００がシステム内で計測する発電電力量（電流値）のデータ信号を受け取って制御部１１に受け渡すようにしてもよく、また、太陽光発電パネルＳＰの発電した直流電力をホール素子を利用したホール効果で測定して交流電力に変換したときの電流値を制御部１１が算出するようにしてもよい。また、この電流計測部１３は、上述のようにクランプメータやホール素子のように直接接続することなく、後付けで電流値を計測するようにしてもよく、また、電力供給する配電線Ｗ途中に介在させて電流値を直接計測するようにしてもよい。
【００３４】
制御部１１は、中央演算処理装置（ＣＰＵ：Central  Processing  Unit）やメモリ等により構成されており、予め格納されているプログラムや設定値に従って無線通信部１２や電流計測部１３を統括制御することにより、後述する管理装置３０からの要求に応じて電流計測部１３による計測を実行させて取得した電流値情報などを一時記憶しつつその管理装置３０に無線送信するようになっている。
【００３５】
また、下流端末装置２０は、無線通信部１２の他に、電流計測部２３、データ格納部２４および発電状況通知部２５が制御部２１に接続されており、この下流端末装置２０は、図３に示すように、屋内の配電線Ｗを延長するために延長電線（配電線）ＥＤの両端部に１つのコンセント（接続部）Ｃ１とプラグＰを備える１つ口の延長コードＥＣ１や、４つのコンセントＣ２〜Ｃ５とプラグＰを延長電線ＥＤの両端部に備える４つ口の延長コードＥＣ２に内蔵されている。具体的には、下流端末装置２０は、延長コードＥＣ１では１つのコンセントＣ１を収納するハウジングＨの隣接位置に設けられているボックスＢ内に収納されており、延長コードＥＣ２では４つのコンセントＣ２〜Ｃ５と共にハウジングＨ内に収納されている。要するに、この延長コードＥＣ１、ＥＣ２は、太陽光発電パネルＳＰの発電電力や商用電力を配電する屋内の配電線Ｗの端部のコンセントボックスＣＢにプラグＰを接続して延長電線ＥＤを引き回すことによりコンセントＣ（Ｃ１〜Ｃ５）と共に下流端末装置２０を電気機器ＥＭ１〜ＥＭｎ付近など所望の位置に配置することができ、そのコンセントＣ１〜Ｃｎに電気機器ＥＭ１〜ＥＭｎの電源コードＰＣの先端のプラグＰを差し込んで稼働可能にセッティングすることができる。言い換えると、この下流端末装置２０は、屋内の配電線Ｗを延長して配電する延長部２６を構成する延長コードＥＣ１、ＥＣ２を備えている。
【００３６】
電流計測部２３は、延長コードＥＣ１、ＥＣ２のコンセントＣ毎の延長電線ＥＤ途中に直接接続あるいはクランプメータにより間接接続させて、そのコンセントＣ毎に出力供給する電流値を計測（把握）するようになっており、消費電力量把握部の電力検出部を構成している。
【００３７】
データ格納部２４は、延長コードＥＣ１、ＥＣ２自体（下流端末装置２０）やそのコンセントＣ毎の各種情報を予め設定するようになっており、例えば、延長コードＥＣ１、ＥＣ２のコンセントＣ１〜Ｃ５のＩＤ（identity）番号と共に電力供給に関する優先度などの各種情報を機器情報として格納するようになっている。ここで、データ格納部２４には、コンセントＣ１〜Ｃ５やその優先度だけでなく、接続する電気機器ＥＭ１〜ＥＭｎが固定されている場合には、その優先度や名称などの機器情報をコンセントＣ１〜Ｃ５に直接振り分けて格納するようにしてもよい。また、このデータ格納部２４には、延長コードＥＣ１、ＥＣ２や接続電気機器ＥＭ１〜ＥＭｎの識別情報（機器情報）なども設定して参照可能に格納してもよく、また、ＯＮ／ＯＦＦ情報も対応付けして格納するなど、各種情報を対応付けできるようにしてもよい（以下で説明する管理装置３０のデータ格納部３４においても同様）。
【００３８】
発電状況通知部２５は、図３に示すように、延長コードＥＣ１、ＥＣ２のコンセントＣ毎に対応するようにハウジングＨに設置されているＬＥＤ（Light Emitting Diode）２５ａと共に、制御部２１に接続されてそのＬＥＤ２５ａの点灯を制御する不図示のドライバを備えており、ＬＥＤ２５ａは、赤・黄・緑の３色の発光色を有している。
【００３９】
制御部２１は、上流端末装置１０の制御部１１と同様に、中央演算処理装置やメモリ等により構成されており、予め格納されているプログラムや設定値に従って無線通信部２２、電流計測部２３、データ格納部２４および発電状況通知部２５を統括制御することにより、後述する管理装置３０からの要求に応じて電流計測部２３による計測を実行させて取得した電流値情報などを一時記憶しつつデータ格納部２４内の各種情報と共にその管理装置３０に無線送信するとともに、発電状況通知部２５のＬＥＤ２５ａの点灯制御を実行させるようになっている。
【００４０】
また、管理装置３０は、無線通信部３２の他に、データ格納部３４、入力部３５および表示部３６が制御部３１に接続されている。データ格納部３４は、上流端末装置１０から送られてくる太陽光発電パネルＳＰの計測発電電流値Ｉｓｐを格納するとともに、下流端末装置２０のデータ格納部２４と同様に、例えば、延長コードＥＣ１、ＥＣ２自体のＩＤ番号やコンセントＣのＩＤ番号と共に電力供給に関する優先度などの各種情報を格納するようになっている。入力部３５は、データ格納部３４に格納する各種情報の入力操作を予め行うとともに、各種制御処理を手動により指示する入力操作を行うためのキーやボタンが配列されており、表示部３６は、入力部３５からの各種入力情報や端末装置１０、２０から受け取る各種受信情報を表示出力するとともに、下流端末装置２０のデータ格納部２４に格納する設定情報を呼び出して表示出力するようになっている。ここで、入力部３５や表示部３６は、常時備えている必要はなく、端末装置１０、２０も含めて、パーソナルコンピュータを適宜接続して書き換えるなどするようにしてもよいことは言うまでもなく、また、管理装置３０をパーソナルコンピュータのような処理装置により構成させてもよい。
【００４１】
制御部３１は、他の制御部１１、２１と同様に、中央演算処理装置やメモリ等により構成されており、予め格納されているプログラムや設定値に従って無線通信部３２、データ格納部３４、入力部３５および表示部３６を統括制御することにより、上流端末装置１０や下流端末装置２０との間でやり取りをして受け取った各種情報をデータ格納部３４内に格納するとともに、その各種情報の演算処理やその演算結果に基づく制御指示を下流端末装置２０に送信する。ここで、この制御部３１は、上流端末装置１０から受け取る太陽光発電パネルＳＰの発電電流値Ｉｓｐと、下流端末装置２０から受け取る電気機器ＥＭ１〜ＥＭｎの集計消費電流値ΣＩｃ１〜Ｉｃｎとを比較するようになっており、下記の条件に従ってその比較結果に基づく設定優先度に応じた発光色で発電状況通知部２５のＬＥＤ２５ａを点灯させて消費電力量に対する太陽光発電の電力量の余裕度を表す電力量情報を報知する制御処理を実行するようになっている。すなわち、管理装置３０の制御部３１が消費電力量把握部の電力集計部と情報導出部を構成して、下流端末装置２０のＬＥＤ２５ａが情報報知部を構成している。
・５Ａ＜Ｉｓｐ−ΣＩｃ１〜Ｉｃｎ        ：  緑  ……（１）
・０Ａ≦Ｉｓｐ−ΣＩｃ１〜Ｉｃｎ≦５Ａ  ：  黄  ……（２）
・Ｉｓｐ−ΣＩｃ１〜Ｉｃｎ＜０Ａ        ：  赤  ……（３）
【００４２】
具体的には、制御部１１、２１、３１がそれぞれ図４〜図７のシーケンス図に示す処理手順（管理方法）を実行するようになっている。ここで、本実施形態では、コンセントＣ１〜Ｃ５のＩＤ番号やその優先度などは、下流端末装置２０のデータ格納部２４に格納しておき管理装置３０が都度受け取る場合を一例にして説明するが、これに限るものではなく、管理装置３０のデータ格納部３４にも同様の各種情報を設定しておいてもよいことは言うまでもなく、例えば、冷蔵庫などのように常時接続稼働させる優先度の高い電気機器ＥＭ１〜ＥＭｎの名称などを確認できるようにしてもよい。
【００４３】
まず、図４に示すように、管理装置３０の制御部３１は、予め設定されているインターバル、例えば、３０秒間隔で電力供給の余裕度を確認して表示する更新制御を実行するようになっており、管理装置３０自体が電源ＯＮされている場合には、更新時間３０秒が経過する度に、延長コードＥＣ１、ＥＣ２の下流端末装置２０と上流端末装置１０に電流値の計測を指示する要求信号を無線通信部３２を介して送信させる（イベントＥ１）。この計測要求を無線通信部１２、２２を介して受け取った端末装置１０、２０の制御部１１、２１は、それぞれ電流計測部１３、２３による電流値の計測を実行させて（イベントＥ２、Ｅ３）、上流端末装置１０からは太陽光発電パネルＳＰによる計測発電電流値Ｉｓｐが管理装置３０に返送されてくるので（イベントＥ４）、その管理装置３０の制御部３１は、受け取った計測発電電流値Ｉｓｐをデータ格納部３４内に更新登録する（イベントＥ５）。
【００４４】
このとき、延長コードＥＣ１、ＥＣ２に電気機器ＥＭが接続されていない状態から、そのうちの延長コードＥＣ１のコンセントＣ１に電気機器ＥＭ１が接続されて電源ＯＮになった場合には、次のような制御処理が実行される。まず、その延長コードＥＣ１の下流端末装置２０の電流計測部２３がコンセントＣ１における暗電流よりも高めに設定されている閾値以上の電流値Ｉｃ１を計測するので、その制御部２１は、コンセントＣ１の電気機器ＥＭ１の電源ＯＮ（稼働）と判断（検知）して（イベントＥ６）、その計測電流値Ｉｃ１と共にデータ格納部２４に格納するコンセントＣ１のＩＤ番号やその優先度を管理装置３０に無線通信部２２を介して送信する（イベントＥ７）。ここで、電気機器ＥＭ１〜ＥＭ３の電源ＯＮ／ＯＦＦを判断する閾値は、個々の動作時における消費電力や待機電力などを考慮して設定すればよい。
【００４５】
それを受け取った管理装置３０の制御部３１は、計測消費電流値Ｉｃ１とコンセントＣ１のＩＤ番号と優先度をデータ格納部３４に対応付けして格納してコンセントＣ１の電気機器ＥＭ１が電源ＯＮ状態であることを登録するとともに、その発電電流値Ｉｓｐから集計消費電流値ΣＩｃ１を減算する比較演算を行う（イベントＥ８）。
【００４６】
この場合には、５Ａ＜（Ｉｓｐ−Ｉｃ１）で上記条件（１）に該当して供給電力量としては十分に余裕があるため、コンセントＣ１にはＬＥＤ２５ａを緑発光させる点灯制御信号を延長コードＥＣ１の下流端末装置２０に送信する（イベントＥ９）。
【００４７】
これに対して、下流端末装置２０（延長コードＥＣ１）の制御部２１は、コンセントＣ１のＬＥＤ２５ａを緑発光させる点灯制御信号を受け取って発電状況通知部２５に受け渡し（イベントＥ１０）、その発電状況通知部２５が該当するコンセントＣ１のＬＥＤ２５ａを緑発光させる点灯制御を実行する（イベントＥ１１）。
【００４８】
これにより、１つ口の延長コードＥＣ１のコンセントＣ１に接続する、例えば、稼働優先度の高い電気機器ＥＭ１を接続したときには、太陽光発電パネルＳＰによる発電電流値Ｉｓｐで余裕を持って電力供給して稼働させることができることをそのコンセントＣ１のＬＥＤ２５ａの緑発光により利用者に報知して直感的に認識させることができる。このとき、コンセントＣ１の優先度は高く設定されて電気機器ＥＭ１を接続稼働させており、そのコンセントＣ１に異なる優先度の電気機器ＥＭｎを接続する場合には、管理装置３０の入力部３５から再設定する入力操作を行えばよく、また、その電気機器ＥＭ１を接続したまま電源をＯＮ／ＯＦＦする場合には、上述するように、設定以上の電流値を計測したときに、上述した処理手順を再度実行することになる。また、コンセントＣｎに対する優先度が予め設定されていない場合には、優先度は低いものとして比較判断するようにすればよい。この点は、他のコンセントＣにおいても同様である。
【００４９】
次に、図５に示すように、延長コードＥＣ１に電気機器ＥＭ１が接続されてコンセントＣ１のＬＥＤ２５ａに緑点灯させている状態で、延長コードＥＣ２のコンセントＣ２に電気機器ＥＭ２が接続されて電源ＯＮになった場合には、次のような制御処理が実行される。
【００５０】
まず、図４の場合と同様に、管理装置３０の制御部３１が電力供給の余裕度を確認表示する更新制御を繰り返して（イベントＥ１）、端末装置１０、２０の制御部１１、２１が電流計測部１３、２３による電流値の計測を実行させて（イベントＥ２、Ｅ３）、太陽光発電パネルＳＰによる計測発電電流値Ｉｓｐのデータ格納部３４内への更新登録（イベントＥ５）が行われる。
【００５１】
これと並行して、延長コードＥＣ２の下流端末装置２０の電流計測部２３がコンセントＣ２に電気機器ＥＭ２が接続されて電源ＯＮになった場合には、その延長コードＥＣ２の下流端末装置２０の電流計測部２３がコンセントＣ２における暗電流よりも高めに設定されている閾値以上の電流値Ｉｃ２を計測するので、その制御部２１は、コンセントＣ２の電気機器ＥＭ２の電源ＯＮ（稼働）と判断（検知）して（イベントＥ２１）、その計測電流値Ｉｃ２と共にデータ格納部２４に格納するコンセントＣ２のＩＤ番号やその優先度を管理装置３０に無線通信部２２を介して送信する（イベントＥ２２）。
【００５２】
この後には、管理装置３０の制御部３１は、計測消費電流値Ｉｃ２とコンセントＣ２のＩＤ番号と優先度をデータ格納部３４に対応付けして格納してコンセントＣ２の電気機器ＥＭ２が電源ＯＮ状態であることを登録するとともに、その発電電流値Ｉｓｐから集計消費電流値ΣＩｃ１〜Ｉｃ２を減算する比較演算を行う（イベントＥ２３）。
【００５３】
この場合には、０Ａ≦（Ｉｓｐ−（Ｉｃ１＋Ｉｃ２））≦５Ａで上記条件（２）に該当して供給電力量としては余裕がなくなりつつあるため、コンセントＣ２にはＬＥＤ２５ａを黄発光させる点灯制御信号を延長コードＥＣ２の下流端末装置２０に送信する（イベントＥ２４）。
【００５４】
これに対して、下流端末装置２０（延長コードＥＣ２）の制御部２１は、コンセントＣ２のＬＥＤ２５ａを黄発光させる点灯制御信号を受け取って発電状況通知部２５に受け渡し（イベントＥ２５）、その発電状況通知部２５が該当するコンセントＣ２のＬＥＤ２５ａを黄発光させる点灯制御を実行する（イベントＥ２６）。
【００５５】
これにより、４つ口の延長コードＥＣ２のコンセントＣ２に電気機器ＥＭ２を接続したときには、太陽光発電パネルＳＰによる発電電流値Ｉｓｐでは余裕を持って電力供給して稼働させるのには不十分であることをそのコンセントＣ２のＬＥＤ２５ａの黄発光により利用者に報知して直感的に認識させることができる。このとき、電気機器ＥＭ２の接続当初では、その電力供給の優先度については考慮することなく、追加時点での電力供給の余裕度を表示するようになっており、その優先度に応じた報知制御については、次に説明する更新制御において行う。
【００５６】
次に、図６に示すように、延長コードＥＣ１のコンセントＣ１に電気機器ＥＭ１が接続されるとともに、延長コードＥＣ２のコンセントＣ２、Ｃ３に電気機器ＥＭ２、ＥＭ３が接続されて、それぞれのＬＥＤ２５ａには電力供給に余裕のあることを示す緑点灯が当初にされている状態を一例にして更新制御を説明する。
【００５７】
まず、図４で説明したように、管理装置３０の制御部３１が電力供給の余裕度を確認表示する更新制御を繰り返して（イベントＥ１）、端末装置１０、２０の制御部１１、２１が電流計測部１３、２３による電流値の計測を実行させて（イベントＥ２、Ｅ３）、太陽光発電パネルＳＰによる計測発電電流値Ｉｓｐのデータ格納部３４内への更新登録（イベントＥ５）が行われる。
【００５８】
これと並行して、延長コードＥＣ１、ＥＣ２の下流端末装置２０からはコンセントＣ１〜Ｃ３の電気機器ＥＭ１〜ＥＭ３で消費される計測消費電流値Ｉｃ１〜Ｉｃ３と共にデータ格納部２４に格納するそのコンセントＣ１〜Ｃ３のＩＤ番号や優先度が管理装置３０に返送される（イベントＥ３２）。
【００５９】
この後には、管理装置３０の制御部３１は、計測消費電流値Ｉｃ１〜Ｉｃ３とコンセントＣ１〜Ｃ３のＩＤ番号と優先度を受け取ってデータ格納部３４に対応付けして格納登録することにより、コンセントＣ１〜Ｃ３の電気機器ＥＭ１〜ＥＭ３が電源ＯＮ状態であることを把握するとともに、その発電電流値Ｉｓｐから集計消費電流値ΣＩｃ１〜Ｉｃ３を減算する比較演算を再度行う（イベントＥ３３）。
【００６０】
ここでは、電気機器ＥＭ１＞ＥＭ２＞ＥＭ３の優先度順に対応するように優先度としてコンセントＣ１＞Ｃ２＞Ｃ３と設定されていることから、コンセントＣ１のＬＥＤ２５ａには５Ａ＜（Ｉｓｐ−Ｉｃ１）で上記条件（１）に該当して供給電力量としては十分に余裕があるものとしてそのＬＥＤ２５ａを緑発光させる点灯制御信号を延長コードＥＣ１の下流端末装置２０に送信する（イベントＥ３４）。また、このイベントＥ３４では、コンセントＣ２は０Ａ≦（Ｉｓｐ−（Ｉｃ１＋Ｉｃ２））≦５Ａで上記条件（２）に該当して供給電力量としては余裕がなくなりつつあるが賄うことはできるためそのＬＥＤ２５ａを黄発光させる点灯制御信号を延長コードＥＣ２の下流端末装置２０に送信するとともに、コンセントＣ３は（Ｉｓｐ−（Ｉｃ１＋Ｉｃ２＋Ｉｃ３））＜０Ａで上記条件（３）に該当して供給電力量としては足りないためＬＥＤ２５ａを赤発光させる点灯制御信号を延長コードＥＣ２の下流端末装置２０に送信する。
【００６１】
これに対して、延長コードＥＣ１の下流端末装置２０の制御部２１は、コンセントＣ１のＬＥＤ２５ａを緑発光させる点灯制御信号を受け取って発電状況通知部２５に受け渡す一方、延長コードＥＣ２の下流端末装置２０の制御部２１は、コンセントＣ２のＬＥＤ２５ａを黄発光させる点灯制御信号を受け取って発電状況通知部２５に受け渡すとともに、コンセントＣ３のＬＥＤ２５ａを赤発光させる点灯制御信号を受け取って発電状況通知部２５に受け渡し（イベントＥ３５）、それぞれの発電状況通知部２５が該当するコンセントＣ１〜Ｃ３のＬＥＤ２５ａを緑発光、黄発光、赤発光させる点灯制御を実行する（イベントＥ３６）。
【００６２】
これにより、例えば、太陽光発電パネルＳＰによる発電電力量が低下して電気機器ＥＭ１〜ＥＭ３のすべてを賄い切れずに電気機器ＥＭ３は商用電力により稼働させる状況に移行したことを速やかに報知することができ、それを知った利用者は電気機器ＥＭ１〜ＥＭ３を稼働させる必要性に応じてそれぞれの電源ＯＮ／ＯＦＦをすることができる。
【００６３】
次に、図７に示すように、延長コードＥＣ１、ＥＣ２のコンセントＣ１〜Ｃ３のそれぞれに接続するコンセントＣ１〜Ｃ３（電気機器ＥＭ１〜ＥＭ３）の優先度に応じて、コンセントＣ１のＬＥＤ２５ａには緑発光させ、コンセントＣ２のＬＥＤ２５ａには黄発光させ、コンセントＣ３のＬＥＤ２５ａには赤発光させている図６で説明した状態から、延長コードＥＣ２のコンセントＣ２に接続する電気機器ＥＭ２が電源ＯＦＦになった場合には、次のような制御処理が実行される。
【００６４】
まず、図４で説明したように、管理装置３０の制御部３１が電力供給の余裕度を確認表示する更新制御を繰り返して（イベントＥ１）、端末装置１０、２０の制御部１１、２１が電流計測部１３、２３による電流値の計測を実行させて（イベントＥ２、Ｅ３）、太陽光発電パネルＳＰによる計測発電電流値Ｉｓｐのデータ格納部３４内への更新登録（イベントＥ５）が行われる。
【００６５】
これと並行して、延長コードＥＣ２のコンセントＣ２に接続されている電気機器ＥＭ２が電源ＯＦＦになった場合には、その延長コードＥＣ２の下流端末装置２０の電流計測部２３がコンセントＣ２における暗電流よりも高めに設定されている閾値未満の電流値Ｉｃ２を計測するので、その制御部２１は、コンセントＣ２の電気機器ＥＭ２の電源ＯＦＦ（停止）と判断（検知）して（イベントＥ４１）、データ格納部２４に格納するコンセントＣ２の計測電流値Ｉｃ２を削除すると共にそのＩＤ番号と電源ＯＦＦを通知するＯＦＦ信号を管理装置３０に無線通信部２２を介して送信する（イベントＥ４２）。ここで、本実施形態では、電源ＯＦＦ信号を下流端末装置２０から管理装置３０に送信する場合を一例に説明するが、これに限らず、下流端末装置２０からはコンセントＣ２における０Ａの計測電流値Ｉｃ２を管理装置３０に送信してその制御部３１がそのコンセントＣ２の電気機器ＥＭ２が電源ＯＦＦに移行したことを把握して電源ＯＦＦの制御処理を実行するようにしてもよい。
【００６６】
この後には、管理装置３０の制御部３１は、コンセントＣ２のＩＤ番号と共に電源ＯＦＦ信号を受け取るので、データ格納部３４に格納するコンセントＣ２のＩＤ番号とその優先度を削除して電源ＯＦＦを登録した後に、先の制御処理で格納していた発電電流値Ｉｓｐから集計消費電流値ΣＩｃ１、Ｉｃ３を減算する比較演算を改めて行う（イベントＥ４３）。
【００６７】
ここでは、電気機器ＥＭ１＞ＥＭ３の優先度順に対応するように優先度としてコンセントＣ１＞Ｃ３と設定されていることから、コンセントＣ１のＬＥＤ２５ａには５Ａ＜（Ｉｓｐ−Ｉｃ１）で上記条件（１）に該当して供給電力量としては十分に余裕があるものとしてそのＬＥＤ２５ａを緑発光させる点灯制御信号を延長コードＥＣ１の下流端末装置２０に送信する（イベントＥ４４）。また、このイベントＥ４４では、コンセントＣ３は０Ａ≦（Ｉｓｐ−（Ｉｃ１＋Ｉｃ３））≦５Ａで上記条件（２）に該当するようになって供給電力量としては余裕がなくなりつつあるが賄うことはできるためそのＬＥＤ２５ａを黄発光させる点灯制御信号を延長コードＥＣ２の下流端末装置２０に送信するとともに、コンセントＣ２のＬＥＤ２５ａを消灯する点灯制御信号をその下流端末装置２０に送信する。
【００６８】
これに対して、延長コードＥＣ１の下流端末装置２０の制御部２１は、コンセントＣ１のＬＥＤ２５ａを緑発光させる点灯制御信号を受け取って発電状況通知部２５に受け渡す一方、延長コードＥＣ２の下流端末装置２０の制御部２１は、コンセントＣ３のＬＥＤ２５ａを黄発光させる点灯制御信号とコンセントＣ２のＬＥＤ２５ａを消灯する点灯制御信号を受け取って発電状況通知部２５に受け渡し（イベントＥ４５）、それぞれの発電状況通知部２５が該当するコンセントＣ１、Ｃ２、Ｃ３のＬＥＤ２５ａを緑発光、消灯、黄発光させる点灯制御を実行する（イベントＥ４６）。
【００６９】
これにより、例えば、太陽光発電パネルＳＰによる発電電力量が低下して電気機器ＥＭ１〜ＥＭ３のすべてを賄い切れずに電気機器ＥＭ３は商用電力により稼働させていた状態から、その電気機器ＥＭ２の電源ＯＦＦにより電気機器ＥＭ３も太陽光発電で稼働させることができる状況になったことをそのコンセントＣ３のＬＥＤ２５ａの発光色で把握することができる。
【００７０】
このように本実施形態においては、電気機器ＥＭ１〜ＥＭ３を接続して稼働させるために準備する延長コードＥＣ１、ＥＣ２（コンセントＣ１〜Ｃ３）の設置場所で、その電気機器ＥＭ１〜ＥＭ３の消費電力量に対する太陽光発電パネルＳＰの太陽光発電電力量の余裕度（電力量情報）を直感的に理解できるようにＬＥＤ２５ａの発光色で表示出力（報知）することができる。このため、利用者は、電気機器ＥＭ１〜ＥＭ３の設置場所で太陽光発電電力の供給と消費のバランスを把握して、その太陽光発電量の余裕度に応じて稼働させる電気機器ＥＭ１〜ＥＭ３を追加・選択するなど調整（接続の可否を判断）することができる。したがって、正確な状況把握をした上で、太陽光発電をできるだけ自家消費するように十分に有効利用しつつ、無理に電気料金の高い時間帯を避けるなど、適宜商用電力を効率よく効果的に利用することができ、省エネルギの実現と共に電力コストを削減することができる。
【００７１】
本実施形態の他の態様としては、図示することは省略するが、電気機器ＥＭ１〜ＥＭ３の電源ＯＮ／ＯＦＦをコンセントＣ１〜Ｃ３のＩＤ番号の格納の有無により登録するようにしているが、これに限るものではない。例えば、コンセントＣ１〜Ｃｎなどの情報は、下流端末装置２０と管理装置３０のデータ格納部２４、３４の双方で共通に格納保持するようにしてＯＮ／ＯＦＦを示すフラグを立てるだけにすることにより、やり取りするデータ量を少なくするとともに、下流端末装置２０や管理装置３０のいずれにパーソナルコンピュータなどを接続しても問い合わせ通信を実行することなく、設定を確認できるようにしてもよい。
【００７２】
また、上述実施形態では、管理装置３０が主導権を持って端末装置１０、２０の計測等の開始制御などを実行させるように構築する場合を一例にして説明するが、端末装置１０、２０も主体的に動作できる機能を備えて、管理装置３０は、例えば、その端末装置２０からの電気機器ＥＭ１〜ＥＭ３の電源ＯＮ情報を受け取ってから制御を開始するようにしてもよい。
【００７３】
また、上述実施形態では、電気機器ＥＭ１〜ＥＭｎが接続されているコンセントＣ１〜ＣｎのＬＥＤ２５ａに対する点灯制御を行う場合を一例に説明するが、これに限らず、例えば、電気機器ＥＭｎの接続されていないコンセントＣｎに対しても消費電力０Ａとして制御処理を実行するようにしてもよい。この場合には、図７で説明する状況では、単にコンセントＣ２の消費電力が電流値０Ａで５Ａ＜（Ｉｓｐ−（Ｉｃ１＋Ｉｃ２））の上記条件（１）に該当してコンセントＣ１、Ｃ２のＬＥＤ２５ａの双方を緑発光することになり、さらに、コンセントＣ４は、消費電力が電流値０Ａでも優先度の高いコンセントＣ３と同じ０Ａ≦（Ｉｓｐ−（Ｉｃ１＋Ｉｃ２＋Ｉｃ３＋Ｉｃ４））≦５Ａとなって上記条件（２）に該当することになるので、コンセントＣ３と同様にそのＬＥＤ２５ａは黄発光させることになる。
【００７４】
また、上述実施形態では、屋内の配電線Ｗを延長する延長コードＥＣ１，ＥＣ２に下流端末装置２０を内蔵させているが、これに限るものではなく、延長電線ＥＤのないタイプにも採用することができ、また、屋内の配電線Ｗの端部のコンセントボックスＣＢに備えさせてもよいことは言うまでもなく、さらに、電気機器自体に内蔵させて効果的に利用することもできる。
【００７５】
また、上述実施形態では、太陽光発電の場合を一例に説明するが、これに限るものではなく、例えば、燃料電池や蓄電池や風力発電など他の分散型電源にも適用することができることは言うまでもなく、１種類の分散型電源に限らず、２種以上の分散型発電を統合して管理するようにしてもよい。さらに、商用電源の契約電力（電流値）を超えるのを回避するために、契約電流値から所定値を減算した１つ以上の設定値を供給電力量として予め設定（把握）させておき、その第１の余裕値を超えた消費電力量の場合にはＬＥＤ２５ａを黄色発光させて注意を促すとともに、第２の限界値を超えた消費電力量の場合にＬＥＤ２５ａを赤色発光させてブレーカによる供給遮断の恐れがあることを警告するようにしてもよい。
【００７６】
また、上述実施形態では、太陽光発電電力量の余裕度（余剰度）をＬＥＤ２５ａの発光色で報知する一例を説明するが、これに限るものではなく、電気機器ＥＭ１〜ＥＭｎの接続時にその余裕度に応じた音声出力をさせるようにしてもよく、また、振動の種別により報知するようにしてもよい。
【００７７】
また、上述実施形態では、コンセントＣ１〜Ｃｎ（電気機器ＥＭ１〜ＥＭｎ）毎の優先度に応じてＬＥＤ２５ａの発光色を決定する条件（算出）を変えているが、これに限るものではなく、接続順に従って余裕度を都度報知するようにしてもよく、また、常時稼働が必要など優先度を共通に設定されているコンセントＣ１〜Ｃｎを準備していてもよい。
【００７８】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画されうる。
【産業上の利用可能性】
【００７９】
これまで本発明の一実施形態について説明したが、本発明は上述の実施形態に限定されず、その技術的思想の範囲内において種々異なる形態にて実施されてよいことは言うまでもない。
【符号の説明】
【００８０】
１０……上流端末装置
１１、２１、３１……制御部
１２、２２、３２……無線通信部
１３、２３……電流計測部
２０……下流端末装置
２４、３４……データ格納部
２５……発電状況通知部
３０……管理装置
３５……入力部
３６……表示部
１００……発電システム本体
Ｃ、Ｃ１〜Ｃｎ……コンセント
ＣＢ……コンセントボックス
ＥＣ１、ＥＣ２……延長コード
ＥＭ１〜ＥＭｎ……電気機器
ＳＰ……太陽光発電パネル
Ｗ……配電線
【図１】
0005575012.tif 000002
【図２】
0005575012.tif 000003
【図３】
0005575012.tif 000004
【図４】
0005575012.tif 000005
【図５】
0005575012.tif 000006
【図６】
0005575012.tif 000007
【図７】
0005575012.tif 000008